(57)【要約】【課題】在庫量を増やすことなく、注文に応じて製品の発送管理をする製品注文管理装置を実現する。【解決手段】製品管理装置は、所定の通信回線を介して、顧客から所定の製品に関し、少なくとも希望納品日時情報を含む注文データを受信する注文データ受信手段と、前記所定の通信回線を介して、受信した前記注文データに係る作業指示を作業指示データとして送信する作業指示データ送信手段と、前記顧客へ前記製品を輸送する際の輸送時間を含むリードタイムに関するデータを取得するリードタイムデータ取得手段と、前記希望納品日時情報で示されるデータから、前記リードタイムデータで示される時間を減算した結果が、現在時刻と等しくなる際に、前記作業指示送信手段により作業指示データを送信するように制御する制御手段とを有する。【選択図】  図３１
2005011334.tif 000002
【特許請求の範囲】
【請求項１】
所定の通信回線を介して、顧客から所定の製品に関し、少なくとも希望納品日時情報を含む注文データを受信する注文データ受信手段と、
前記所定の通信回線を介して、受信した前記注文データに係る作業指示を作業指示データとして送信する作業指示データ送信手段と、
前記顧客へ前記製品を輸送する際の輸送時間を含むリードタイムに関するデータを取得するリードタイムデータ取得手段と、
前記希望納品日時情報で示されるデータから、前記リードタイムデータで示される時間を減算した結果が、現在時刻と等しくなる際に、前記作業指示送信手段により作業指示データを送信するように制御する制御手段と
を有することを特徴とする製品管理装置。
【請求項２】
顧客からの注文に係る製品の注文データに基づいて、その注文に係る製品の輸送に関する作業指示データを送信する製品管理システムにおいて、
前記顧客により入力される、少なくとも所定の製品の希望納品日時情報を含む注文データを受信する注文データ受信手段と、
受信した前記注文データに係る作業指示を作業指示データとして送信する作業指示データ送信手段と、
前記顧客へ製品を輸送する際の輸送時間を含むリードタイムに関するデータを取得するリードタイムデータ取得手段と、
前記希望納品日時情報で示されるデータから、前記リードタイムデータで示される時間を減算した結果が、現在時刻と等しくなる際に、前記作業指示データ送信手段により作業指示データを送信するように制御する制御手段と
を有する第１の情報処理装置と、
前記作業指示データ送信手段により送信された前記作業指示データを受信する作業指示データ受信手段を有する第２の情報処理装置と
を有することを特徴とする製品管理システム。
【請求項３】
顧客からの注文に係る製品の注文データを受信する第１の情報処理装置と、前記第１の情報処理装置からの作業指示データを受信する第２の情報処理装置とを用いて製品管理方法であって、
前記第１の情報処理装置によって、少なくとも希望納品日時情報を含む前記注文データを受信する注文データ受信ステップと、
前記第１若しくは前記第２の情報処理装置によって、前記顧客へ注文された製品を輸送する際の輸送時間を含むリードタイムに関するデータを取得するリードタイムデータ取得ステップと、
前記第１の情報処理装置によって、前記希望納品日時情報で示されるデータから、前記リードタイムデータで示される時間を減算した結果が、現在時刻と等しくなる際に、前記第１の情報処理装置から前記注文データに係る作業指示データを前記第２の情報処理装置へ送信するように制御する制御ステップと有することを特徴とする製品管理方法。
【請求項４】
顧客からの注文に係る製品の注文データを受信する第１の情報処理装置と、前記第１の情報処理装置からの作業指示データを受信する第２の情報処理装置とを用いる製品管理方法を実現するためのプログラムであって、
前記第１の情報処理装置によって、少なくとも希望納品日時情報を含む前記注文データを受信する注文データ受信手段と、
前記第１若しくは前記第２の情報処理装置によって、前記顧客へ注文された製品を輸送する際の輸送時間を含むリードタイムに関するデータを取得するリードタイムデータ取得手段と、
前記希望納品日時情報で示されるデータから、前記リードタイムデータで示される時間を減算した結果が、現在時刻と等しくなる際に、前記第１の情報処理装置から前記注文データに係る作業指示データを前記第２の情報処理装置へ送信するように制御する制御手段としてコンピュータに機能させる製品管理プログラム。
【発明の詳細な説明】
【技術分野】
【０００１】
本発明は、製品管理装置、製品管理システム、製品管理方法及び製品管理プログラムに関し、顧客からの注文に係る製品の注文データに基づいて、その注文に係る製品を保管する倉庫部門への作業指示を供給するための製品管理装置、製品管理システム、製品管理方法及び製品管理プログラムに関する。
【背景技術】
【０００２】
製造メーカなどの総販売元は、病院などの医療機関への営業を行っている販売店を通して医療（手術など）に使用する製品の販売を行っている。  
従来は、販売店の営業マンが、医療機関へサンプルの製品を持って製品説明に伺うような営業活動を行い、その営業を通して製品の依頼を受けると、取り敢えず所定数の製品をサンプルとして置いて行き、後日病院で必要な個数を確認して、その必要個数のみを病院に納入する形で、製品を受注していた。  
そのような従来の営業方法に対して、近年、インターネットなどの通信ネットワークを利用して医療機器や医療用具の注文を受け、それら機器や用具を医療機関に販売したり、リースしたりすることが行われるようになっている（例えば、特許文献１，２参照）。
【０００３】
さらに、販売店の営業マンが病院から直接注文を受けたり、あるいはメーカがインターネット等を介する注文を受け付けた場合に、貸出し式の販売方法がとられる場合がある。この貸出式の販売方法は、医療機関からの注文に応じて製品を貸出す方法であり、販売店から医療機関への費用請求は、医療機関において使用した量に応じて行われる。
【０００４】
例えば、近年、病気やけがで失われた器官や機能を、人間の再生能力を利用して治療する再生医療が行われつつある。例えば人工骨が、骨腫瘍摘出や骨折等の外傷によって生じる骨欠損部への補填として使われるようになっている。  
このような人工骨としては、その形状について例えば円筒体、ブロック体、顆粒の３つのタイプがあり、サイズについては、円筒体、ブロック体の各形状では、１．０ｍＬから１５ｍＬまでに６つのサイズがあり、顆粒についても収納してある壜に数種類の容量がある。医療機関は、手術の内容に応じて、人工骨製品の種類と数量を決定し、手術の予定日に応じて医療機関への搬入日を決定し、販売店に注文する。
【０００５】
医療機関からこのような注文、例えば「来月の１０日に貸出希望」という注文が医療機関からあった場合、販売店の営業マンは、次の２つのいずれかの対応をとっていた。  
１）医療機関からの貸出依頼があったときに、倉庫業者、メーカの倉庫部門等に製品の発送を指示し、倉庫業者等からすぐに医療機関へ製品を発送し、医療機関において手術日まで保管してもらう。  
２）医療機関の所在地まで配送する時間、すなわち輸送時間を考慮して、製品の発送を保留してもらうように、倉庫業者等に依頼する。倉庫業者等は、配送時間を考慮して、発送日を決定し、発送日に製品を配送する。
【特許文献１】特開2002-132959号公報（第１−４頁、図１）
【特許文献２】特開2002-140426号公報（第１−４頁、図１）
【発明の開示】
【発明が解決しようとする課題】
【０００６】
しかし、上記１）の場合は、貸出依頼の注文があった日から医療機関において手術で実際に使用されるまでの間の期間が長いと、医療機関における滞留数が多くなるが、倉庫における有効在庫量は減ってしまう。従って、倉庫にある製品在庫すなわち有効在庫の量が少なくなってしまうので、新たな注文を受け付けられなくなる虞がある。  
そこで、医療機関における滞留数は減らすために、上記２）の対応をとってもよいが、倉庫業者等が、発送するまで時間的な余裕がある注文に係る製品まで梱包してしまうと、倉庫業者の所に製品があっても、有効在庫量は減ってしまう。例えば、１ケ月先に発送すればよい製品まで梱包して注文毎に確保してしまう、すなわち他の注文に応じられないようにしてしまうと、３日先の発送、１週間先の発送等の、新たな注文が発生しても、販売店はそのような注文に応じられない。この場合も、結局、倉庫における滞留数が多くなり、有効在庫量は少なくなってしまう。
【０００７】
従って、いずれの対応の場合も、医療機関又は倉庫において滞留している製品の中に、実際に医療機関で使用されるまでの間に、貸出できるものがあるにも拘わらず、メーカあるいは営業マンは、製品在庫はないものと判断し、新たな貸出依頼の注文を受けられなくなってしまう。このような対応を取っている限り、新たな注文に応じられるようにするためには、メーカは、倉庫における製品在庫量を増やさなければならないが、製品在庫量を増やすことは、メーカに保管コストの増加を強いることになるという問題がある。  
そこで、本発明は、製品在庫量を増やすことなく、注文に応じて製品の発送管理をする製品管理装置を提供することを目的とする。
【課題を解決するための手段】
【０００８】
本発明に係る製品管理装置は、所定の通信回線を介して、顧客から所定の製品に関し、少なくとも希望納品日時情報を含む注文データを受信する注文データ受信手段と、前記所定の通信回線を介して、受信した前記注文データに係る作業指示を作業指示データとして送信する作業指示データ送信手段と、前記顧客へ前記製品を輸送する際の輸送時間を含むリードタイムに関するデータを取得するリードタイムデータ取得手段と、前記希望納品日時情報で示されるデータから、前記リードタイムデータで示される時間を減算した結果が、現在時刻と等しくなる際に、前記作業指示送信手段により作業指示データを送信するように制御する制御手段とを有する。
【０００９】
以下に、明細書中で使われる用語等について説明する。  
顧客とは、貸出を行う総販売元から見て、卸販売店、小売販売店、最終ユーザ（病院など）を含むものとする。複数種類の製品とは、例えば人工骨について言えば、同じ成分の製品であっても、形状や、１箱分のサイズ（容量）が異なっているものが用意されていることを指している。共通項目情報とは、製品数量，値段などを指している。つまり、顧客に応じて貸し出す製品の数量，値段に制限値を設けている。また、製品管理システムは、総販売元（製造メーカーであることが多い）にある管理端末単体も含む。
【００１０】
貸出販売方式とは、顧客からの貸出依頼にて納品された製品を顧客が使用する場合もあるが、状況に応じて借りた製品の一部またはすべてを使わないで返却する場合があるので、製品の貸出後、顧客が使用しなかった製品を返却した、或いはすべてを使用したとの結果を受けてから、販売の確定を行うものを言う。販売確定後に別途受発注業務を行い売買を成立させることを特色とする。  
前記の貸出販売を行う製品とは、１回の貸出で複数の製品種類を含む場合もあり、なおかつ各々の製品の個数は複数個となることもある。
【発明の効果】
【００１１】
本発明によれば、在庫量を増やすことなく、注文に応じて製品の発送管理をする製品注文管理装置を実現することが可能となる。
【発明を実施するための最良の形態】
【００１２】
発明の実施の形態について図面を参照して説明する。  
図１は本発明の一実施の形態の製品管理システムを示すブロック図である。図１で点線の矢印は、製品の流れ（出荷及び返却）を表している。  
図１において、製品管理システムは、サーバ１１を有した総販売元１０と、担当営業所２０と、販売店３０と、倉庫業者４０とがインターネットなどの通信回線（以下、ネットワークという）１００に接続して構成されている。
【００１３】
総販売元１０は、通常は例えば製造メーカであり、製造及び販売の総合的な管理を行う本部としての役割を担っている。総販売元１０は、ネットワーク１００に接続したＷＷＷサーバ（以下、Ｗｅｂサーバ、或いは単にサーバという）１１と、ネットワーク１００に接続し、情報の入出力やシステム管理などを行うための管理用のクライアントコンピュータ端末１２とを備えている。総販売元１０には、基本的な情報の設定などを行うシステム管理者が存在している。
【００１４】
サーバ１１は、Ｗｅｂサーバ用のコンピュータで構成され、サーバに収められた情報をネットワーク１００に接続された複数のクライアント用のコンピュータ端末からブラウザ（閲覧ソフト）を使って見ることができる。サーバ１１は、Ｗｅｂサーバとしての機能のほかに、データベースサーバ機能やメールサーバ機能を備えている。ユーザは、Ｗｅｂクライアント（ブラウザ）を使ってＷｅｂサーバにアクセスし、連動したデータベースサーバ機能で検索を行ったり、情報の入出力を行う一方、連動したメールサーバ機能で電子メールを受発信することができる。
【００１５】
ネットワーク１００には、サーバ１１及び前記管理用端末１２のほか、全国各地域に設けられた複数の担当営業所２０と、各担当営業所２０によって管理される複数の販売店３０と、製造された製品を保管する倉庫業者４０とがそれぞれの役割を担うクライアント用のコンピュータ端末にて、ネットワーク１００に接続されている。なお、サーバ１１とは、対等営業所２０、販売店３０及び倉庫業者４０と、１つのネットワークによって接続されているが、それぞれ、個別のネットワークで接続されていてもよい。
【００１６】
担当営業所２０は、全国の各地域ごとに設けられた総販売元の支店，出張所，営業所などを指しており、総販売元１０の営業部門を担っている。そして、担当営業所２０は、自身のコンピュータ端末に表示される、データベース機能及びメール機能を持ったＷｅｂ画面を使って、自身の担当地域にある複数の販売店３０を管理している。
【００１７】
販売店３０は、薬品や、手術などに使用する製品を扱う卸販売店，小売販売店などであり、医療機関である病院５０に出向くなどして病院５０に対して営業的に直接的な係わりを持っている。販売店３０は、病院５０の要望を聞き、人工骨などの製品の貸出し注文を受けると、自身のコンピュータ端末に表示される、データベース機能及びメール機能を持ったＷｅｂ画面に必要な項目を入力することで、ネットワーク１００を介して総販売元１０のサーバ１１に、注文データである貸出依頼を送信する。注文データには、少なくとも、後述する希望納品日時情報が含まれている。総販売元１０のサーバ１１は、受信手段を有し、受信した注文データに含まれる貸出依頼内容が必要な条件（例えば、貸出製品総数量や貸出累積製品価格の制限条件）を満たしていれば、貸出依頼を受理し、倉庫業者４０や担当営業所２０に貸出依頼が確定したことを知らせる。なお、サーバ１１から倉庫業者４０への貸出依頼の通知は、後述するように、所定の期間だけ保留され、通知されない。
【００１８】
倉庫業者４０は、総販売元１０の倉庫部門を担っており、総販売元１０で製造した複数種類の製品を保管してある。倉庫業者４０は、自身のコンピュータ端末に表示される、データベース機能及びメール機能を持ったＷｅｂ画面に表示される依頼内容に従い、希望納品日に間に合うように製品の梱包及び配送の手配を行う。そして、販売店から指定されている数量の製品を依頼先である販売店３０に、或いは貸出先が送り先として指示されている場合には貸出先である病院５０へ直接製品を発送する。
【００１９】
以上のように、本実施形態の製品管理システムは、販売店３０が製品貸出しの依頼及び貸出し依頼状況の確認をネットワーク１００経由で即時に行うことができるシステムである。販売店３０が行った貸出依頼は倉庫業者４０に通知され、倉庫業者４０では貸出受付（及び後述する返却受付）が実行される。また、それらの貸出状況は総販売元１０のシステム管理者や、担当営業所２０によって参照することができ、常にその状態を監視することが可能になっている。
【００２０】
サーバ１１のユーザとしては、総販売元１０のシステム管理者、販売店３０、担当営業所２０、倉庫業者４０、の４種類のユーザーが居て、それぞれの立場からの使用を行う。  
上記４種類の各ユーザのコンピュータ端末で閲覧できる情報画面は、各ユーザごと異っている。つまり、各ユーザごとにサーバ１１の使用方法が異なっている。
【００２１】
次に、各ユーザごとのサーバ１１の使用方法を、図２乃至図５を参照して説明する。これらの図の中で点線の矢印は、サーバ内のデータ記憶部(ハードディスクなど)からデータを読み込むことを表している。  
図２はシステム管理者が実行可能なサーバ使用方法を説明するための図である。システム管理者は、コンピュータ端末１２のブラウザ画面で、サーバ１１にロードされている製品管理システム用ホームページのＵＲＬ（Uniform Resource Locator）にアクセスし、システム管理者がＩＤとパスワードを入力してログインし、システム管理者用のメニューを表示させる。このとき、「システム管理者用メニュー」と「インフォメーション」が表示される。
【００２２】
「システム管理者用メニュー」には、「インフォメーション」、「データベース」、「基本情報設定」、「マスタ設定」、 「インフォメーション設定」、 「データベース設定」、「貸出状況管理」、 「製品カタログ」の各メニューが設けられている。
【００２３】
「インフォメーション」（図示せず）は、すべてのユーザがログインすると最初に表示される情報であり、全ユーザにアナウンスしたい最新情報を提供する。この情報を更新するには、システム管理者用メニューの「インフォメーション設定」でシステム管理者のみが行えるようになっている。
【００２４】
「データベース」（図示せず）は、すべてのユーザが頻繁に参照したいファイルや情報を提供するページである。この情報を更新するには、システム管理者用メニューの「データベース設定」でシステム管理者のみが行えるようになっている。
【００２５】
「基本情報設定」（図示せず）は、画面のデザインなど、システムに関する基本的な情報を設定する。各項目で指定した内容は全てのユーザの全ての画面に反映される。  
「マスタ設定」は、図２のマスタデータ読込・登録画面に含まれ、データベースのマスタデータを新規登録・更新・削除する。マスタデータの種類は、「ユーザ」「製品」「診療科目」「施設」「配送業者」「カレンダ」「リードタイム」がある。マスタデータ読込・登録画面は、販売店データ、納品先データ、配送業者データ、製品データ、便名データ等の各種データ（データ形式はＣＳＶ，ＧＩＦ等の各種形式）を、各種マスタデータベース（図２の各種マスタ）に登録、読み込みなどを行うための画面である。
【００２６】
「インフォメーション設定」では、図２のインフォメーション登録画面に含まれ、前記の全ユーザにアナウンスしたい最新情報を提供する「インフォメーション」で表示される情報の内容を設定する。詳細資料をファイルで配布したい場合は、「添付ファイル」を設定する。インフォメーションの内容は、インフォメーションデータベース（図２のインフォメーションデータ）に登録される。  
「データベース設定」（図示せず）は、すべてのユーザが頻繁に参照したいファイルや情報を提供する「データベース」のページに表示したい内容を設定するメニューである。
【００２７】
「貸出状況管理」は、図２の貸出状況・貸出履歴管理画面に含まれ、検索条件を入力し、製品検索をした結果を一覧で表示し、更に詳細を確認することが可能である。表示順「新しい順」、「古い順」を設定できる。複数の条件を指定すると、全ての条件を満たすレコードのみ表示される。「検索をおこなう」ボタンを押して検索を開始する。状態（ステータスとも呼び、依頼中、貸出中、返却済の別を示す）、販売店／支店名（担当営業所）、希望納品日、返却発送期限、出荷先名、使用施設名、貸出依頼日、貸出受付日などが表示される。貸出状況・貸出履歴管理画面は、貸出記録データ（図２）から、ステータスの変更、貸出記録データの読み込み、さらに、自動バッチ処理により、各販売店、担当営業所及び倉庫業者への期限超過貸出を電子メールで通知を行うための画面である。
【００２８】
「製品カタログ」は、図２の製品カタログ表示画面に含まれ、製品内容を紹介するページである。形状、製品名、サイズ、希望小売価格などが表示される。製品カタログ表示画面は、製品データベース（図２の製品データ）に登録されたデータの読み込みを行うための画面である。  
図３は販売店が実行可能なサーバ使用方法を説明するための図である。販売店３０は、自身のコンピュータ端末のブラウザ画面で、サーバ１１にロードされている製品管理システム用ホームページのＵＲＬにアクセスし、ＩＤとパスワードを入力してログインし、販売店用のメニューを表示させる。このとき、「販売店用メニュー」と「インフォメーション」が表示される。
【００２９】
「販売店用メニュー」には、「インフォメーション」、「データベース」、「製品カタログ」、「貸出依頼登録」、「貸出状況管理」の各メニューが設けられている。
【００３０】
「インフォメーション」は、図３のインフォメーション確認画面に含まれ、すべてのユーザがログインすると最初に表示される情報である。全ユーザにアナウンスしたい最新情報を提供する。インフォメーションの変更はシステム管理者しかできない。インフォメーションの内容は、インフォメーションデータベース（図２のインフォメーションデータ）に登録された情報である。
【００３１】
「データベース」（図示せず）は、すべてのユーザが頻繁に参照したいファイルや情報を提供するページである。データベースの変更はシステム管理者しかできない。  
「製品カタログ」は、図３の製品カタログ表示画面に含まれ、現在取り扱っている製品を一覧で表示させる機能である。詳細情報が欲しい場合には、「詳細」ボタンを押す。製品カタログ表示画面は、製品データベース（図２の製品データ）に登録されたデータを表示する。
【００３２】
「貸出依頼登録」は、図３の貸出依頼登録画面に含まれ、その中のボタンをクリックすることで、貸出依頼を行う。貸出依頼製品選択画面、担当者情報入力画面、貸出明細入力画面、貸出依頼実行画面が順次に表示できるようになっている。一度に複数の商品の貸出依頼をすることができる。貸出依頼登録の操作が完了しても、倉庫業者に依頼通知メールが発信されない。また、貸出依頼登録の操作が完了すると同時に担当営業所や本部である総販売元に依頼通知メールが発信される。貸出依頼の手続きは次のようになる。
【００３３】
1) 貸出依頼をしたい商品の数量を指定する。数量を指定すると、合計金額が即座に計算されて画面右下に表示される。  
2)「次へ進む」ボタンを押す。  
3) 担当者情報入力画面が表示される。「販売店名／支店名」「電話番号」「FAX番号」はシステム管理者によって登録された情報が表示されている。販売店がこの情報を勝手に変更することはできないので、変更が必要な場合はシステム管理者に問合せをする必要がある。
【００３４】
4) 「次へ進む」ボタンを押す。  
5) 貸出依頼内容の詳細を記入する画面が表示される。入力の手間を省くために、「履歴から入力」と「施設マスターから検索」という機能がある。  
6) 「次へ進む」ボタンを押す。  
7) 貸出依頼内容を確認して「次へ進む」ボタンを押すと貸出依頼の手続きが行われる。
【００３５】
「貸出状況管理」は、図３の貸出状況・貸出履歴管理画面に含まれ、検索条件を入力し、貸出記録データ（図２）の中から、製品検索をした結果を一覧で表示し、更に詳細を確認することが可能である。表示順「新しい順」、「古い順」を設定できる。複数の条件を指定すると、全ての条件を満たすレコードのみ表示される。「検索をおこなう」ボタンを押して検索を開始する。状態（依頼中、貸出中、返却済の別）、販売店／支店名（担当営業所）、希望納品日、返却発送期限、出荷先名、使用施設名、貸出依頼日、貸出受付日などが表示される。さらに、図３の貸出状況・貸出履歴管理画面は、ユーザがこの画面を利用して、貸出記録データ（図２）の中から、ＥＸＣＥＬ（商標）形式、ＣＳＶ形式などの形式で、貸出状況、貸出履歴等のリスト出力を行うこともできる画面でもある。
【００３６】
図４は担当営業所が実行可能なサーバ使用方法を説明するための図である。担当営業所２０は、自身のコンピュータ端末のブラウザ画面で、サーバ１１にロードされている製品管理システム用ホームページのＵＲＬにアクセスし、ＩＤとパスワードを入力してログインし、担当営業所用のメニューを表示させる。このとき、「担当営業所用メニュー」と「インフォメーション」が表示される。
【００３７】
「担当営業所用メニュー」には、「インフォメーション」、「データベース」、「貸出状況管理」、「製品カタログ」の各メニューが設けられている。  
「インフォメーション」は、図４のインフォメーション確認画面に含まれ、すべてのユーザがログインすると最初に表示される情報である。全ユーザにアナウンスしたい最新情報を提供する。インフォメーションの変更はシステム管理者しかできない。インフォメーションの内容は、インフォメーションデータベース（図２のインフォメーションデータ）に登録された情報である。
【００３８】
「データベース」（図示せず）は、すべてのユーザが頻繁に参照したいファイルや情報を提供するページである。データベースの変更はシステム管理者しかできない。  
「貸出状況管理」は、図４の貸出状況・貸出履歴管理画面に含まれ、貸出記録データ（図２）の中から、自社の担当している販売店について、検索条件を入力し、貸出状況検索をした結果を一覧で表示し、更に詳細を確認することが可能である。表示順「新しい順」，「古い順」を設定できる。複数の条件を指定すると、全ての条件を満たすレコードのみ表示される。「検索をおこなう」ボタンを押して検索を開始する。状態（依頼中，貸出中，返却済の別）、販売店／支店名（担当営業所）、希望納品日、返却発送期限、出荷先名、使用施設名、貸出依頼日、貸出受付日などが表示される。貸出状況・貸出履歴管理画面は、貸出記録データ（図２）ステータスの変更、貸出記録データの読み込み、さらに、自動バッチ処理により、各販売店、担当営業所及び倉庫業者への期限超過貸出を電子メールで通知を行うための画面である。
【００３９】
「製品カタログ」は、図４の製品カタログ表示画面に含まれ、現在取り扱っている製品を一覧で表示させる機能である。詳細情報が欲しい場合には、「詳細」ボタンを押す。製品カタログ表示画面は、製品データベース（図２の製品データ）に登録されたデータを表示する。
【００４０】
「貸出依頼登録」は、図４の貸出依頼登録画面に含まれ、図３における担当販売店の「貸出依頼登録」と同じ機能を有する。
【００４１】
図５は倉庫業者が実行可能なサーバ使用方法を説明するための図である。倉庫業者４０は、自身のコンピュータ端末のブラウザ画面で、サーバ１１にロードされている製品管理システム用ホームページのＵＲＬにアクセスし、ＩＤとパスワードを入力してログインし、倉庫業者用のメニューを表示させる。このとき、「倉庫業者用メニュー」と「インフォメーション」が表示される。
【００４２】
「倉庫業者用メニュー」には、「インフォメーション」、「データベース」、「貸出受付登録」、「返却受付登録」、「貸出状況管理」の各メニューが設けられている。  
「インフォメーション」は、図５のインフォメーション確認画面に含まれ、すべてのユーザがログインすると最初に表示される情報である。全ユーザにアナウンスしたい最新情報を提供する。インフォメーションの変更はシステム管理者しかできない。インフォメーションの内容は、インフォメーションデータベース（図２のインフォメーションデータ）に登録された情報である。
【００４３】
「データベース」（図示せず）は、すべてのユーザが頻繁に参照したいファイルや情報を提供するページである。データベースの変更はシステム管理者しかできない。
【００４４】
「貸出受付登録」は、図５の貸出受付登録画面に含まれ、販売店から指定された商品の出荷を指示する。  
貸出依頼を受け付けてから、出荷するまでの作業の流れは次の通りである。  
1) 販売店からの貸出依頼の中で、今日出荷依頼の一覧が表示される。出荷一覧の表示は、倉庫業者（倉庫部門）のコンピュータ端末から、出荷一覧の表示要求、すなわち作業指示内容データの要求に応じて行われる。倉庫業者４０への出荷作業の指示は、後述するように、注文に係る製品を顧客へ納品しなければならない時（希望納品日時）から、リードタイムの時間分だけ前の時になるまで、保留される。なお、プルダウンメニューで「一週間先までに出荷の依頼を表示」・「二週間先までに出荷の依頼を表示」を指定して、「表示」ボタンを押せば、今日以降の出荷依頼も表示することも出来る。表示されている各依頼の「詳細」ボタンを押して、貸出依頼内容の詳細を見ることができる。
【００４５】
2)  配送会社・配送サービス名を指定した後、伝票番号を「運券管理番号」に記入する。  
3) 内容を確認して「貸出依頼を受け付ける」ボタンを押すと、貸出受付内容とともに、貸出依頼元（返却元）と担当営業所に受け付けた旨のメールが送信される。  
「返却受付登録」は、図５の返却受付登録画面に含まれ、各施設から貸出した製品が返却されたら、返却受付を登録し、返却受付内容の電子メールを、貸出依頼元（返却元）と担当営業所に送信する。
【００４６】
1) 現在製品を貸出している販売店／支店名の一覧が表示される。製品を返却してきた販売店／支店のデータ欄の「詳細」ボタンを押す。  
2) 今回返却された製品の個数を指定して「次に進む」ボタンを押す。注文数が５個で、そのうちの２個が返却された場合には「２」を入力して返却を受け付ける。  
3) 確認画面で、返却数を確認して「貸出返却を登録する」ボタンを押す。
【００４７】
「貸出状況管理」は、図５の貸出状況・貸出履歴管理画面に含まれ、検索条件を入力し、貸出記録データ（図２）の中から貸出状況検索をした結果を一覧で表示し、更に詳細を確認することが可能である。表示順「新しい順」、「古い順」を設定できる。複数の条件を指定すると、全ての条件を満たすレコードのみ表示される。「検索をおこなう」ボタンを押して検索を開始する。状態（依頼中、貸出中、返却済の別）、販売店／支店名（担当営業所）、希望納品日、返却発送期限、出荷先名、使用施設名、貸出依頼日、貸出受付日などが表示される。さらに、図５の貸出状況・貸出履歴管理画面は、貸出記録データ（図２）の中から、ＥＸＣＥＬ（商標）形式、ＣＳＶ形式などの形式で、貸出状況、貸出履歴等のリスト出力を行うこともできる画面でもある。
【００４８】
次に、製品管理システムで貸出販売を行うための動作フローを、図６乃至図１０を参照して説明する。また、図１１乃至図２９は、図６乃至図１０のフローチャートにおける各ステップでの画面表示例を示している。図１１乃至図２９は、図２乃至図５のサーバ使用方法で説明した各メニューの画面とも対応している。
【００４９】
図６は販売店作業のフロー（ステップＳ1乃至Ｓ10）を示している。  
まず、販売店３０の担当者は、製品管理システムにアクセスするためにサーバ１１へアクセスする。その際に、サーバ１１は販売店３０の端末の画面上にログイン画面図１１を表示し、担当者に対してＩＤ及びパスワードの入力を促す（ステップＳ１）。ログインが成功すると、販売店３０の端末の表示画面上にメニュー画面及びインフォメーション画面が表示される（図１２）。
【００５０】
次に、病院５０等の貸出先の端末から送信され、販売店３０の端末に設けられた貸出依頼データ受信手段により受信した貸出依頼データが存在するか否かを確認する（ステップＳ２）。この貸出依頼データには、「何月何日予定の手術について、この形状で、このサイズの製品（人工骨）を何個必要である。」という内容が含まれる。
【００５１】
次に、販売店３０の担当者は、メニュー画面より「貸出依頼登録」を選択すると、サーバ１１は、表示画面上に貸出依頼登録画面（図１３）を表示し、総販売元１０への貸出依頼データの入力を促す。
【００５２】
図１２のインフォメーション及びメニュー画面上の貸出依頼登録をクリックし、図１３の貸出依頼登録の画面上の注文個数欄に入力する。注文個数（５個，２個）を入力すると各希望小売価格（単価）に対して注文価格欄の価格が自動的に計算されて図１４のように表示される。例えば、１０００円の製品を５個と、２０００円の製品を２個として個数を入力すると、それぞれに対応して、５０００円と４０００円の注文価格が、注文価格欄に表示される。
【００５３】
そして、１回毎の貸出依頼について貸出総数量と、販売店別に設定された貸出製品の１回あたりの上限貸出総数量とを比較し、貸出総数量が上限個数以下か否かを判定する（ステップＳ4）。貸出総数量が上限個数を越えていれば、ステップＳ3に戻って、上限個数以下となるように貸出個数を変更して入力し直す。
【００５４】
ステップＳ4で、製品の入力貸出個数が上限個数以下ならば、ステップＳ5に移行する。
【００５５】
ステップＳ5では、サーバ１１は、今回の貸出依頼での製品種類と製品価格と製品個数を元に貸出した製品を合計した合計貸出製品価格を、既に貸出依頼によって貸出中の貸出製品価格を累積した値に加算し、それを累積貸出製品価格として計算し、計算された累積貸出製品価格と、販売店に設定した上限累積貸出製品価格とを比較し、上限額以下か否かを判定する（ステップＳ5）。累積貸出製品価格が上限額を越えていれば、ステップＳ3に戻って、上限個数以下となるように貸出個数を変更して入力し直すよう、販売店３０の担当者へ入力を促す。
【００５６】
ステップＳ5で、製品の累積貸出額が上限額以下ならば、ステップＳ6に移行する。  
図１３及び図１４の画面の下方には、貸出上限として、１回の貸出依頼ごとの注文個数の上限値（２０個）が、累積貸出注文価格の上限値が表示されている。また、図１４には、１回の貸出依頼ごとの総貸出個数（７個）と、累積貸出注文価格とが表示されている。例えば上記の例であれば、５０００円と４０００円の合計金額である９０００円が、累積貸出注文価格として表示される。
【００５７】
ステップＳ6では、サーバ１１は、表示画面上に貸出明細入力画面（図１５）を表示し、出荷先や使用施設などの貸出先の情報を入力するように促す。貸出明細の入力が済むと、サーバ１１に貸出依頼の登録を行うためにネットワーク１００を介して貸出依頼の送信を行う（ステップＳ7）。図１６の貸出依頼実行画面下方の「貸出依頼を登録する」ボタンを押す。
【００５８】
サーバ１１側では、貸出依頼データを受信する（ステップＳ８）。貸出依頼データを受信したタイミングで、貸出依頼を確定し、貸出管理番号を採番する（ステップＳ9）。このとき、貸出管理番号と貸出依頼データを関連付け、貸出依頼データとして記録手段に記録する。貸出管理番号は、貸出依頼別に付けられる重複することのない識別番号である。従って、サーバ１１は、注文データそれぞれに対して重複のないように識別コードを付与する識別子付与手段を有する。そして、貸出管理番号を採番すると、確認メールを販売店に送信する（ステップＳ10）と同時にネットワーク１００を介して販売店のコンピュータ端末へ貸出依頼返信及び貸出管理番号を通知する。従って、販売店３０のコンピュータ端末は、貸出依頼に対する返信を受信する。受信した内容に基づいて貸出管理番号を製品貸出案件（換言すれば、手術案件）ごとに付することができる（ステップＳ11）。図１７の貸出依頼実行画面上方の受注管理番号欄に貸出管理番号（２００２１２００１２）が自動的若しくは手動にて採番されている。
【００５９】
その後F1にて示すように、図７の倉庫業者作業のフロー（ステップＳ21乃至Ｓ29）に移行する。  
まず、倉庫業者４０は、倉庫業者４０のコンピュータ端末を介して製品管理システムにアクセスするためにサーバ１１へアクセスする。その際に、サーバ１１は、倉庫業者４０の端末の表示画面上にログイン画面（図１８）を表示し、担当者に対してＩＤ及びパスワードの入力を促す（ステップＳ２１）。ログインが成功すると、倉庫業者４０の端末の表示画面上にメニュー画面及びインフォメーション画面が表示される（図１９）。
【００６０】
次に、倉庫業者４０の担当者は、メニュー画面より、「貸出受付登録」を選択すると、サーバ１１は、表示画面上に貸出受付登録画面（図２１）を表示し、販売店３０からの貸出依頼データの確認を促す（ステップＳ２２）。倉庫業者４０は、製品を販売店３０に出荷する準備に入る。倉庫業者４０にとっての貸出依頼一覧である出荷一覧の表示は、倉庫業者（倉庫部門）のコンピュータ端末から、出荷一覧の表示要求、すなわち作業指示内容データの要求に応じて行われる。従って、サーバ１１は、倉庫業者４０の端末装置へ作業指示データを送信する作業指示データ送信手段を有する。倉庫業者４０への出荷作業の指示は、後述するように、注文に係る製品を顧客へ納品しなければならない時から、リードタイムの時間分だけ前の時になるまで、保留される。よって、貸出依頼一覧に表示されるのは、その留保されていない出荷作業の指示があった注文に限られる。図１９の貸出受付登録画面における貸出依頼一覧を参照のこと。その後に詳細欄の各詳細ボタンをクリックすることで、図２０に示すような各案件の貸出依頼詳細画面に移行できる。図２０に示すような各案件の貸出依頼詳細画面には、受注管理番号、販売店、担当者等の情報に加えて、製品が使用される手術対象の症例、使用部位、医師等の先生の情報も表示される。
【００６１】
まず、製品をどの運送会社の何便で出荷するかという配送便の確定を行って、配送便名を入力し、出荷案件ごとに運件番号を入力することで（ステップＳ23〜Ｓ25）、発送準備が確定する（ステップＳ26）。図２０乃至図２２を参照のこと。図２０及び図２１の画面下方に配送便及び運件管理番号を入力する。そして次に進むと、図２２の発送確定（貸出依頼の受付）がなされる。
【００６２】
この発送の確定は、サーバ１１側へ確認メールとして送信され、発送段階に入ったことがサーバ１１へ送られ、総販売元や担当営業所に知らされる（ステップＳ27）。
【００６３】
発送の確定後、倉庫業者４０は、製品の形状やサイズを選択（ピッキング）し且つ製造ロットＮｏ．を確認してから、販売店３０への発送を行う（ステップＳ28，Ｓ29）。なお、ピッキング、梱包等の作業は、ステップＳ23の後でもよい。
【００６４】
その後F2にて示すように、図８の販売店作業のフロー（ステップＳ31乃至Ｓ34）に移行する。
【００６５】
販売店３０は、貸出製品を受領すると（ステップＳ31）、貸出先である病院５０に納品する（ステップＳ32）。病院５０で納品した予定の手術が終わると、販売店３０は貸出した製品のうち未開梱の貸出品を返却品として病院３０から回収した（ステップＳ33）後、該貸出品を宅配便などを利用して倉庫業者４０へ返却する（ステップＳ34）。
【００６６】
その後F3にて示すように、図９の倉庫業者作業のフロー（ステップＳ41乃至Ｓ47）に移行する。
【００６７】
倉庫業者４０は、返却品を受け取ると（ステップＳ41）、製品ロットＮｏ．や梱包の破損などの検査を行い（ステップＳ42）、返却品の数量を確認する（ステップＳ43）。図２３及び図２４の返却受付登録画面下方の返却品レコードを参照のこと。サーバ１１は、表示画面に返却受付登録画面（図２５）を表示し、返却内容の登録を促す。貸出管理番号（受注管理番号）に対応して返却内容を製品管理システムの返却受付登録画面に入力すると、入力された返却内容はネットワーク１００を経由して、サーバ１１へ送信され、サーバ１１は、返却内容を記憶領域に登録する（ステップＳ４４）。
【００６８】
サーバ１１は、倉庫業者４０のコンピュータ端末から送信された返却内容を受信する。受信した返却内容に基づき、複数種類の貸出製品のうち使用した個数の内訳を計算する。この計算結果を貸出依頼元である販売店３０や担当営業所２０のコンピュータ端末へ返却メールとして送信する（ステップＳ46）。
【００６９】
一方、倉庫業者４０は、ステップＳ44で返却内容を画面入力しサーバ側へ送信した後は、返却品を倉庫へ保管する（ステップＳ47）。この倉庫保管によって返却品は一定の環境条件に維持されるため、品質を維持した状態で使用期限までの一定期間保存されることになる。
【００７０】
図１０は総販売元の管理部門或いは担当営業所での売上処理のフロー（ステップＳ51乃至Ｓ56）を示している。
【００７１】
まず、貸出元の売上担当者がコンピュータ端末でウェブ上の製品管理システムの画面にＩＤとパスワードを入力してログインする（ステップＳ51）。図２６のログイン画面を参照のこと。そして、貸出状況管理の画面から、売上処理を行う販売店の検索を行う（ステップＳ52）。図２７及び図２８の貸出状況管理の検索条件入力画面（販売店／支店名欄への記入）を参照のこと。そして、その販売店について、売上の処理を行おうとしている、期間を選択した後、該当期間の貸出管理番号（受注管理番号）毎に各製品毎の貸出数と返却数とその差を計算した消費数の結果を画面上に表示させることで、売上げの実績を確認する（ステップＳ53）。図２９は検索後の貸出状況検索結果を示している。
【００７２】
次に、別途、経理システムのソフトウェアにて各貸出管理番号毎の消費数に基づき、売上金額を計算し、該販売店への請求金額を算出する（ステップＳ54）。そして、該販売店に対して、該当期間の貸出管理番号毎の売上内容と売上金額の請求書を発行し、請求行為を行う（ステップＳ55）。そして、該販売店からの売上金の回収を行う（ステップＳ56）。
【００７３】
次に、サーバ１１を中心にした製品管理システム全般の機能について説明する。以下の説明で、顧客とは販売店を指している。
【００７４】
顧客が貸出依頼を行った１回毎の貸出製品総数量と、顧客別に設定された貸出製品の１回あたりの上限貸出製品総数量とを比較する比較手段を備え、該比較手段による比較結果に基づき、貸出依頼の了解または制限（保留、または拒否）すること、すなわち、該貸出依頼が上限貸出製品総数量以下の場合は「許可」をあらわす表示を、上限貸出総数量を超える場合は「不許可」をあらわす表示を、ネットワーク経由で貸出依頼を行った顧客の端末、または顧客が指定した別の端末（携帯端末など）の画面上にも（リアルタイムで）表示する。
【００７５】
顧客が貸出依頼を行った１回毎の製品種類と製品価格と製品個数を元に貸出した製品を合計した貸出製品価格を計算する計算手段を備え、該計算手段によって計算された結果を顧客の端末、または顧客が指定した別の端末（携帯端末など）の画面上にも（リアルタイムで）表示する。
【００７６】
既に顧客が製品の貸出を受けている場合、前述の貸出製品価格を顧客別に累積し、その結果を累積貸出製品価格として製品管理システムのサーバに保管する。
【００７７】
新規に貸出依頼を行ったときに新規分の貸出製品価格と、既に貸出依頼によって貸出された累積貸出製品価格を加算する計算手段と、該計算手段によって計算された合計額と、顧客別に設定された上限累積貸出製品価格とを比較する比較手段とを備え、該比較手段による比較結果に基づき、貸出依頼を行った顧客に対して、貸出依頼の了解または制限（保留、または拒否）すること、すなわち、該貸出依頼が上限累積貸出製品価格以下の場合は「許可」をあらわす表示を、上限累積貸出製品価格を超える場合は「不許可」をあらわす表示を、ネットワーク経由で貸出依頼を行った顧客の端末、または顧客が指定した別の端末（携帯端末など）の画面上にも（リアルタイムで）表示する。
【００７８】
１回毎の上限貸出製品総数量は、顧客の信用度に応じて設定される。また、上限累積貸出製品価格は、顧客の信用度に応じて設定される。
【００７９】
貸出依頼による1回ごとの貸出製品総数量が上限製品総数量を超え、貸出依頼が「不許可」をあらわす表示がされた場合は、新規の貸出内容を変更して再度貸出依頼が行える。
【００８０】
貸出依頼による新規の貸出製品価格と既存の累積貸出製品価格の合計額が上限累積貸出製品価格を超え、貸出依頼が「不許可」をあらわす表示がされた場合は、新規の貸出内容を変更して再度貸出依頼が行える。
【００８１】
数量と価格の両方ともが「許可」をあらわす表示がされると、貸出依頼の確定待ちの表示（これでいいですかと確認する表示）が、ネットワーク経由で貸出依頼を行った顧客の端末、または顧客が指定した別の端末（携帯端末など）の画面上にも表示する。
【００８２】
数量と価格の両方ともが「許可」をあらわす表示がされ、貸出依頼の確定待ちの表示が、ネットワーク経由で貸出依頼を行った顧客の端末に表示された状態で、該端末から実行を意味する情報（顧客がＯＫするの意を示す情報）を顧客が送信する入力手段があり、該入力手段にて入力作業を行うことができる。
【００８３】
前述の入力手段により、顧客が実行を意味する情報の入力作業を行うことによって、ネットワーク経由で総販売元の製品管理システムのサーバに入力が伝わり、該サーバが貸出依頼の確定を行い、その貸出依頼内容がデータとして記録される。
【００８４】
前述の入力手段により、顧客が前述の入力作業を行うことによって、ネットワーク経由でサーバに入力が伝わり、該サーバから貸出依頼が確定したことを確認する表示が、ネットワーク経由で貸出依頼を行った顧客の端末、または顧客が指定した別の端末（携帯端末など）の画面上にも表示される。
【００８５】
前述のサーバが貸出依頼の確定を行うと、該サーバにて該貸出依頼についての貸出管理番号を採番し、該貸出管理番号を顧客の端末、または顧客が指定した別の端末（携帯端末など）の画面上にも表示される。
【００８６】
前記の貸出管理番号は重複することのない唯一無二の識別番号である。
【００８７】
前述の貸出管理番号により、貸出依頼を行った日時、貸出依頼を行った販売店、貸出依頼を行った製品種類と個数、貸出依頼を行った製品の送付先、貸出依頼を行った製品の使用先、などの種々の貸出に関するデータの関連付けが行われる。
【００８８】
顧客が前述の実行の入力作業を行うと、ネットワーク経由で製品管理システムのサーバに入力が伝わり、サーバにデータとして記録されると、データを受信したことを確認するために顧客の電子メールアドレス、または顧客が指定する電子メールアドレスにも、該貸出依頼の内容を電子メールにて送信する。
【００８９】
次に、倉庫業者４０が自身のコンピュータ端末からサーバ１１に対して作業指示のデータ要求を行って、貸出受付登録画面を表示させるときの処理について説明する。倉庫業者４０が自身のコンピュータ端末に貸出受付登録画面を表示させると、倉庫業者４０がその日に作業すべき貸出依頼の対象（以下、本日分という）のみが表示される処理が行われるが、まず貸出依頼から納品までの流れについて、図３０を用いて説明する。図３０は、製品の貸出依頼から、納品、返却までの流れの例を説明するための図である。
【００９０】
まず、販売店３０において、上述した図６の処理によって医療機関からの注文に応じて貸出依頼登録が行われると、その貸出依頼登録がされた日が貸出依頼日（D0）である。その貸出依頼登録における「希望納品日時」の日付が希望納品日（Dn）である。なお、図１５及び図１６における「希望納品日時」が、希望納品時であるが、以下、説明を簡単にするために、時間は省略して、日のみで説明する。
【００９１】
希望納品日（Dn）に注文主である医療機関に製品を納品するためには、製品を保管する倉庫業者４０の場所から、その医療機関の場所まで注文された製品を搬送するための輸送時間（t1）を考慮して、希望納品日（Dn）から輸送時間（t1）の分だけ前の日（Dn-1）に、倉庫業者４０に、出荷指示がされる。例えば、５月２４日が注文に係る製品の希望納品日（Dn）であるときに、倉庫業者４０の場所から貸出先の医療機関の場所まで輸送するのに、１日掛かるとすれば、５月２３日には配送業者に製品を渡して、発送しなければならない。その場合は、発送日（Dn-1）は５月２３日となる。
【００９２】
倉庫業者４０が、コンピュータ端末から貸出受付登録画面の表示指示をしてきた時、サーバ１１は、図１９の画面をコンピュータ端末に表示させるときに、本日分のみを表示対象とするデータを生成して、倉庫業者４０のコンピュータ端末に送信する。上述した例において、倉庫業者４０がコンピュータ端末から貸出受付登録画面の表示指示すなわち表示指示のコマンド送信をしてきた時（DD）が５月２３日であれば、その製品を表示対象として貸出受付登録画面中に表示し、５月２２日であれば、貸出受付登録画面中に表示しない。このように、発送日は、リードタイムすなわち輸送時間（t1）を考慮して決定され、５月２３日（Dn-1）になって初めて、倉庫業者４０は発送作業対象を知って作業をすることになるので、倉庫業者４０が前もって数日先の発送予定の製品まで、梱包作業を行うことがない。
【００９３】
さらに、注文数量が多い場合、梱包作業の時間が掛かるので、その梱包作業のための時間（t2）を考慮して、希望納品日（Dn）よりも、輸送時間（t1）と梱包時間（t2）を合わせた分だけ前（Dn-2）に、倉庫業者４０に、出荷指示がされる。例えば、５月２４日が注文に係る製品の希望納品日であるときに、倉庫業者４０のある場所から貸出先の医療機関の場所まで輸送するのに、１日掛かり、かつ注文数量から判断して、倉庫業者４０の梱包作業に１日掛かるとすれば、５月２２日には梱包作業を開始し、５月２３日に配送業者に製品を渡して、発送しなければならない。
【００９４】
その場合、倉庫業者４０が、コンピュータ端末から貸出受付登録画面の表示指示をしてきた時、図１９の画面をコンピュータ端末に表示させるときに、本日分のみを表示対象とするデータを生成して、倉庫業者４０のコンピュータ端末に送信する。上述した例において、サーバ１１は、５月２２日に「今日の梱包の対象」として、倉庫業者４０に作業対象を告知する。倉庫業者４０がコンピュータ端末から貸出受付登録画面の表示指示すなわち表示指示のコマンド送信をしてきた時（DD）が５月２２日であれば、その製品を表示対象として貸出受付登録画面中に表示し、５月２１日であれば、貸出受付登録画面中に表示しない。このように、倉庫業者４０への梱包指示日は、リードタイムすなわち輸送時間と梱包時間を合わせた時間（t1＋t2）を考慮して決定され、５月２２日（Dn-2）になって初めて、倉庫業者４０は梱包作業対象を知って作業をすることになるので、倉庫業者４０が前もって数日先の梱包予定の製品まで、梱包作業を行うことがない。上記の例では、「今日の梱包の対象」という表現であるが、その表現は種々変形してもよく、例えば、「今日の梱包で、明日が出荷の対象」等でもよい。
【００９５】
以上のように、サーバ１１は、図７のS22において、倉庫業者４０からの貸出受付登録画面の表示指示を受け付けると、上述したリードタイムを考慮した作業指示を行うための処理を実行し、その日に発送作業あるいは梱包作業の必要な貸出依頼対象のみを告知するように、倉庫業者４０のコンピュータ端末へデータを送信する。図３１は、図７のS22において、倉庫業者４０からの貸出受付登録画面の表示指示を受け付けると表示対象を決定するために、サーバ１１が実行する処理の流れの例を示すフローチャートである。
【００９６】
まず、貸出受付登録画面の表示指示を受け付けた時（現時点（DD））から、全貸出依頼のレコード中の希望納品日（Dn）までの日数（P1）を計算する（ステップS101）（図３０参照）。この計算は、各レコードにおける希望納品日時の日付と、現時点（DD）である本日の日付の差をとることによって行われる。
【００９７】
全貸出依頼について、リードタイムのデータを取得する（ステップS102）。このリードタイムのデータは、後述するように、住所の郵便番号に対応してリードタイムが設定されているテーブルのデータから読み出すことによって取得される。具体的には、各貸出依頼のレコード中の出荷先のデータに含まれる郵便番号のデータに基づいて、リードタイムのデータがそのテーブルから読み出される。なお、上述したように、そのテーブルデータは、貸出依頼の数量に応じて梱包のための時間（梱包時間）が加えられたデータを含んでもよい。例えば、その梱包時間が予め決められた時間（例えば１日）の作業では終わらないような数量であるときは、その梱包時間ためのリードタイム、すなわち梱包時間が加えられたリードタイムとなる。
【００９８】
そして、倉庫業者４０への指示待ち日数を計算する（S103）。指示待ち日数は、現時点（DD）から希望納品日までの日数（P1）から、リードタイム（t1）を減算した日数（P11）である（図３０参照）。指示待ち日数は、リードタイムがt1であれば、（P1−t1）であり、リードタイムが（t1＋t2）であれば、（P1−（t1＋t2））である。指示待ちとなるのは、現時点（DD）すなわち作業指示のデータである貸出受付登録画面要求に応じて倉庫業者４０へ送信する時が、注文データの製品の前記顧客へ納品すべき時より、リードタイムの時間分だけ前の時になるまでである。指示待ちの場合は、作業指示のデータが倉庫業者４０へ送信することが保留される、すなわち送信されない。
【００９９】
次に、全貸出依頼について、指示待ち日数が、プラスであるか否かが判断される（S104）。ある貸出依頼の指示待ち日数がプラスであれば、その貸出依頼については指示待ち日数は１日以上あるので、S104でＹＥＳとなって、処理は何もしない。指示待ち日数がプラスでない、すなわち０（ゼロ）かマイナスであれば、リードタイムを考慮して倉庫業者に作業指示をしなければならないので、その貸出依頼については貸出受付登録画面の表示対象とし、貸出受付登録画面データを送信する（S105）。言い換えると、サーバ１１は、希望納品日（例えば、５月２４日）の情報で示されるデータから、リードタイムのデータで示される時間（例えば、１日）を減算した結果が、現在時刻（例えば、５月２３日）と等しくなるときに、作業指示データを送信する。サーバ１１は、図３１に示す処理を行うことによって、作業指示データ送信手段からの作業指示データの送信を制御する制御手段を有する。
【０１００】
上述した例で説明すると、希望納品日が５月２４日で、輸送のためのリードタイムすなわち輸送時間が１日の注文の場合、５月２２日に倉庫業者４０が貸出受付登録画面の表示指示を行っても、指示待ち日数は、１日となる。よって、その場合は、S104でＹＥＳとなって、処理は何もしない。しかし、倉庫業者４０が貸出受付登録画面の表示指示を行った日が５月２３日であれば、S104でＮＯとなって、指示待ち日数は０（ゼロ）となるので、そのレコードについては、貸出受付登録画面の表示対象とする処理（S105）が行われる。
【０１０１】
以上のように、貸出受付登録画面（作業指示）のデータを倉庫業者４０へ送信する時が、注文データの製品の顧客へ納品すべき時よりリードタイムの時間分だけ前の時になるまで、貸出受付登録画面のデータが倉庫業者４０へ送信することが保留される。
【０１０２】
なお、以上の説明では、倉庫業者４０からの貸出受付登録画面（作業指示）のデータを、倉庫業者の要求に応じて送信する形態で説明したが、定期的にサーバ１１から倉庫業者４０へ作業指示データを送信する形態であっても同様に適用できる。
【０１０３】
次に、図３１のS102における輸送のリードタイムの取得方法の例について説明する。ここでは、輸送のリードタイムは、出荷先の住所の郵便番号に対応して予め設定されたリードタイムが記憶されたテーブルデータを参照することによって、取得される。図３２は、輸送のリードタイムを記録したテーブルデータの例を示す図である。
【０１０４】
図３２のテーブルデータには、郵便番号毎に輸送のリードタイムデータが予め設定されている。よって、サーバ１１は、S102において、各貸出依頼のレコード中の住所データ中の郵便番号のデータを読み出し、その読み出した郵便番号について設定されているリードタイムを、図３２のテーブルデータから読み出すことによって、各レコードのリードタイムデータとする。よって、郵便番号に基づいてリードタイムを決定しているので、リードタイムの設定及び変更が簡単にできる。
【０１０５】
特に、図３２に示すように、リードタイムを決定するために郵便番号の上位３桁を用いている。言い換えると、希望納品日に顧客へ製品を届けるために輸送時間は、この郵便番号で特定される地域毎に設定される。顧客の住所に含まれる郵便番号の上位３桁のデータに基づいて、リードタイムのテーブルデータからリードタイムが読み出される。
【０１０６】
また、条件に応じて、図７のテーブルデータから読み出されるリードタイムのデータを変更するようにしてもよい。例えば、台風等の気象状況、季節等の条件に応じて、テーブルデータを複数用意しておき、気象状況等に応じて使用するテーブルデータを変更する、あるいは、気象状況等に応じて、テーブルデータの値に対して予め決められた係数を、加算あるいは乗算するようにしてテーブルデータを変更するようにしてもよい。
【０１０７】
特に、倉庫の場所等によって、輸送時間は異なるため、倉庫業者の端末装置から、それぞれ上述したテーブルデータを、サーバ１１へ送信するようにしてもよい。例えば、倉庫業者４０の端末装置に、種々の輸送に関するデータを入力しておき、倉庫業者４０の端末装置において、郵便番号等のデータに基づいて、リードタイムを計算させ、倉庫業者４０の端末装置が、その計算結果であるリードタイムを、例えばテーブル形式のデータとしてデータサーバ１１へ送信するようにしてもよい。すなわち、倉庫業者４０の端末装置は、リードタイムに関するデータを計算するリードタイムデータ算出手段を有し、サーバ１１がその算出結果のデータを取得する。
【０１０８】
以上のように、サーバ１１は、顧客へ製品を輸送する際の輸送時間を含むリードタイムに関するデータを取得するリードタイムデータ取得手段を有する。
【０１０９】
ところで、倉庫業者は、作業対象として告知された貸出依頼内容に基づき貸出製品の出荷作業を行う。  
前記の出荷作業が完了後に、総販売元が出荷作業完了を知らせる情報を、ネットワーク経由で貸出依頼を行った顧客の端末、または顧客が指定した別の端末（携帯端末など）の画面上にも表示する。  
製品管理システムによって貸出された製品が、顧客の指示した貸出先に送付された後に、使用されなかった製品があった場合、貸出依頼を行った顧客から総販売元へ返却され、総販売元が返却として受け付けて返却処理が行なわれる。  
製品管理システムによって貸出された製品が、顧客の指示した貸出先に送付された後に、すべて使用され返却製品がない場合、貸出依頼を行った顧客から総販売元へ返却無しの連絡を行うことにより、総販売元が返却なしとして返却処理を行う。
【０１１０】
前記の返却処理は、総販売元において、貸出先から返却された製品の種類と個数を貸出管理番号別に区別して返却処理できる。  
前記の貸出管理番号別に行った返却処理の結果を、総販売元の端末の画面から製品管理システムのサーバへに入力ができる。  
前記の返却処理の結果が総販売店の端末から貸出システムのサーバに入力されることにより、ネットワーク経由で該当する貸出依頼を行った顧客の端末、または顧客が指定した別の端末（携帯端末など）の画面上にも表示される。
【０１１１】
顧客が前述の返却処理を行うと、該顧客の累積貸出製品価格から返却処理を行った貸出製品価格を減算して、その結果を新たに累積貸出製品価格とすることができる。  
貸出管理番号別に顧客へ貸出した製品の種類と各々の個数と、その後に顧客から返却されて返却処理された製品の種類と各々の個数を比較する比較手段を備え、該比較手段による比較結果に基づき、該貸出によって生じた製品の消費（使用数）の確定を行う。
【０１１２】
前記の消費（使用数）の確定に基づき、その内容を貸出管理番号別にネットワーク経由で貸出依頼を行った顧客の端末、または顧客が指定した別の端末（携帯端末など）の画面上にも表示する。
【０１１３】
前記の消費（使用数）の確定に基づき、その内容を貸出管理番号別にネットワーク経由で貸出依頼を行った顧客の電子メールアドレス、または顧客が指定した電子メールアドレスにも確定内容を電子メールにて送信する。
【０１１４】
顧客自身が貸出依頼を行った貸出管理番号のみが選択されて、該顧客の端末、または顧客が指定した別の端末（携帯端末など）からも該貸出管理番号のデータのダウンロードが可能で、データ活用の機能を有する。
【０１１５】
顧客から貸出依頼を受けて製品の貸出から、製品の返却処理を行うまでの経過を、総販売元はすべての貸出管理番号のデータ閲覧が可能である。
【０１１６】
総販売元が貸し出しを行った任意の期間を選択し、該期間に該当する貸出管理番号とその貸出管理番号に該当する顧客と製品種類と貸出数と返却処理の結果と製品の消費の結果を売上処理用の画面に表示させる。
【０１１７】
これにより何月何日から何月何日までというように任意の期間を指定して、製品の売れ行きとか傾向を見ることができる。
【０１１８】
製品管理システムのサーバに保存されたデータを用いて、貸出管理番号別に消費の結果と製品仕切価格から売上金額を計算する計算手段があり、該計算手段によって貸出管理番号別に売上金額を計算する。
【０１１９】
前記の売上金額を計算した結果を製品管理システムのサーバにデータとして保存する機能を持つ。
【０１２０】
貸出管理番号別に計算された売上金額のデータから、顧客別に売上金額を集計し、該顧客への請求行為を行うための請求金額を算出する。
【０１２１】
次に、一旦貸出依頼の登録を行った後に、キャンセルする方法について説明する。販売店３０では、貸出依頼の登録をキャンセルするときは、貸出状況・貸出履歴管理画面において検索条件を入力することによって、キャンセル対象の貸出依頼を検索する。図３３は、貸出状況・貸出履歴管理画面から検索条件を入力して得られた検索結果の画面例である。販売店３０では、図３３の画面をみると、表示された受注管理番号の貸出依頼が、「依頼中」である、すなわち現在注文に応じて出荷される予定のものであることがわかる。販売店３０では、図３３中の「詳細」ボタンをクリックして、その受注管理番号の貸出依頼の詳細を表示させる。図３４は、その受注管理番号の貸出依頼の詳細内容を表示する画面例である。図３４の下部に表示されている「この内容をキャンセルする」というボタンをクリックすることによって、その貸出依頼をキャンセルすることができる。図３５は、図３４の「この内容をキャンセルする」というボタンをクリックした後に、表示される確認画面の例である。図３５中の「ＯＫ」ボタンをクリックすると、キャンセル処理が実行され、キャンセルされた貸出依頼のレコードは、サーバ１１中の貸出記録データから消去される。
【０１２２】
本明細書における各「部」及び「手段」は、実施の形態の各機能に対応する概念的なもので、必ずしも特定のハードウエアやソフトウエア・ルーチンに１対１には対応しない。従って、本明細書では、以下、実施の形態の各機能を有する仮想的回路ブロック（部）を想定して実施の形態を説明した。また、本実施の形態における各手順の各ステップは、その性質に反しない限り、実行順序を変更し、複数同時に実行し、あるいは実行毎に異なった順序で実行してもよい。
【０１２３】
なお、以上説明した動作を実行するプログラムは、フロッピー（登録商標）ディスク、ＣＤ−ＲＯＭ等の可搬媒体や、ハードディスク等の記憶装置等に、その全体あるいは一部が記録され、あるいは記憶されている。そのプログラムがコンピュータにより読み取られて、動作の全部あるいは一部が実行される。あるいは、そのプログラムの全体あるいは一部を通信ネットワークを介して流通または提供することができる。利用者は、通信ネットワークを介してそのプログラムをダウンロードしてコンピュータにインストールしたり、あるいは記録媒体からコンピュータにインストールすることで、容易に本発明の製品管理システムを実現することができる。
【０１２４】
本発明は、上述した実施の形態に限定されるものではなく、本発明の要旨を変えない範囲において、種々の変更、改変等が可能である。
【図面の簡単な説明】
【０１２５】
【図１】本発明の一実施の形態の製品管理システムを示すブロック図。
【図２】システム管理者が実行可能なサーバ使用方法を示す図。
【図３】販売店が実行可能なサーバ使用方法を示す図。
【図４】担当営業所が実行可能なサーバ使用方法を示す図。
【図５】倉庫業者が実行可能なサーバ使用方法を示す図。
【図６】製品管理システムで貸出販売の貸出依頼処理を行う、販売店作業のフローチャート。
【図７】製品管理システムで貸出販売の出荷処理を行う、倉庫業者作業のフローチャート。
【図８】製品管理システムで貸出販売の納品及び返品処理を行う、販売店作業のフローチャート。
【図９】製品管理システムで貸出販売の返却処理を行う、倉庫業者作業のフローチャート。
【図１０】製品管理システムで貸出販売の売上処理を行う、総販売元の管理部門或いは担当営業所でのフローチャート。
【図１１】図６のフローチャートにおけるステップＳ1での画面表示例を示す図。
【図１２】図６のフローチャートにおけるステップＳ2での画面表示例を示す図。
【図１３】図６のフローチャートにおけるステップＳ3での画面表示例を示す図。
【図１４】図６のフローチャートにおけるステップＳ4，Ｓ5での画面表示例を示す図。
【図１５】図６のフローチャートにおけるステップＳ6での画面表示例を示す図。
【図１６】図６のフローチャートにおけるステップＳ7での画面表示例を示す図。
【図１７】図６のフローチャートにおけるステップＳ11での画面表示例を示す図。
【図１８】図７のフローチャートにおけるステップＳ21での画面表示例を示す図。
【図１９】図７のフローチャートにおけるステップＳ22での画面表示例を示す図。
【図２０】図７のフローチャートにおけるステップＳ23での画面表示例を示す図。
【図２１】図７のフローチャートにおけるステップＳ24，Ｓ25での画面表示例を示す図。
【図２２】図７のフローチャートにおけるステップＳ26での画面表示例を示す図。
【図２３】図９のフローチャートにおけるステップＳで42の画面表示例を示す図。
【図２４】図９のフローチャートにおけるステップＳ43での画面表示例を示す図。
【図２５】図９のフローチャートにおけるステップＳ44での画面表示例を示す図。
【図２６】図１０のフローチャートにおけるステップＳ51での画面表示例を示す図。
【図２７】図１０のフローチャートにおけるステップＳ52での画面表示例を示す図。
【図２８】図１０のフローチャートにおけるステップＳ52での画面表示例を示す図。
【図２９】図１０のフローチャートにおけるステップＳ53での画面表示例を示す図。
【図３０】製品の貸出依頼から、納品、返却までの流れの例を説明するための図。
【図３１】図７のステップS22において、倉庫業者からの貸出受付登録画面の表示指示を受け付けると表示対象を決定するために、サーバが実行する処理の流れの例を示すフローチャート。
【図３２】輸送のリードタイムを記録したテーブルデータの例を示す図。
【図３３】貸出状況・貸出履歴管理画面から検索条件を入力して得られた検索結果の画面例。
【図３４】貸出依頼の詳細内容を表示する画面例。
【図３５】図３４の「この内容をキャンセルする」というボタンをクリックした後に、表示される確認画面の例。
【符号の説明】
【０１２６】
１０…総販売元（システム管理者を含む）
１１…Ｗｅｂサーバ（サーバ）
１２…管理端末
２０…担当営業所
３０…販売店（顧客）
４０…倉庫業者
５０…病院（貸出先）
代理人    弁理士    伊  藤    進
【図１】
2005011334.tif 000003
【図２】
2005011334.tif 000004
【図３】
2005011334.tif 000005
【図４】
2005011334.tif 000006
【図５】
2005011334.tif 000007
【図６】
2005011334.tif 000008
【図７】
2005011334.tif 000009
【図８】
2005011334.tif 000010
【図９】
2005011334.tif 000011
【図１０】
2005011334.tif 000012
【図１１】
2005011334.tif 000013
【図１２】
2005011334.tif 000014
【図１３】
2005011334.tif 000015
【図１４】
2005011334.tif 000016
【図１５】
2005011334.tif 000017
【図１６】
2005011334.tif 000018
【図１７】
2005011334.tif 000019
【図１８】
2005011334.tif 000020
【図１９】
2005011334.tif 000021
【図２０】
2005011334.tif 000022
【図２１】
2005011334.tif 000023
【図２２】
2005011334.tif 000024
【図２３】
2005011334.tif 000025
【図２４】
2005011334.tif 000026
【図２５】
2005011334.tif 000027
【図２６】
2005011334.tif 000028
【図２７】
2005011334.tif 000029
【図２８】
2005011334.tif 000030
【図２９】
2005011334.tif 000031
【図３０】
2005011334.tif 000032
【図３１】
2005011334.tif 000033
【図３２】
2005011334.tif 000034
【図３３】
2005011334.tif 000035
【図３４】
2005011334.tif 000036
【図３５】
2005011334.tif 000037